(57)【要約】      （修正有）【課題】従来に比べて興趣に富んだ動作態様で移動体を下降させるスロープ玩具を提供する。【解決手段】スロープ玩具は、上の段の坂下部分の下方に下の段の坂上部分がはみ出して位置するように複数段に亘って配設されたスロープ２１と、所定の姿勢の状態と姿勢を上下反転させた状態との双方で自重によってスロープ上を下降可能な移動体３と、上の段のスロープの坂下部分の先方に配置され、下降してきた移動体の衝突によって姿勢を切り換えさせつつ移動体を下の段のスロープに引き渡す壁部２１２とを備える。移動体には、移動体の上下方向に動作可能であって、各状態において移動体の上側に位置する面から一部が突出可能な動作部品３３が設けられている。動作部品は、移動体の姿勢切り換えの際に壁部２１２と摺接しつつ衝突することによって動作する。【選択図】図５
0003203069.tif 000002
【実用新案登録請求の範囲】
【請求項１】
上の段の坂下部分の下方に下の段の坂上部分がはみ出して位置するように複数段に亘って配設されたスロープと、
所定の姿勢の第１状態及び当該第１状態から姿勢を反転させた第２状態の双方で、自重によって前記スロープ上を下降可能な移動体と、
前記上の段のスロープを下降してきた移動体の衝突によって前記第１状態と前記第２状態との間で姿勢を切り換えさせつつ当該移動体を前記下の段のスロープに引き渡す衝突部と、
を備え、
前記移動体には、当該移動体の上下方向に動作可能であって、前記第１状態及び前記第２状態の各状態において当該移動体の上側に位置する面から一部が突出可能な動作部品が設けられ、
前記動作部品は、前記移動体の姿勢切り換えの際に前記衝突部と衝突することによって動作することを特徴とするスロープ玩具。
【請求項２】
前記移動体は、本体と、前記動作部品と、複数の車輪とを備え、前記複数の車輪の各々が前記本体の上下から張り出すように構成されていることを特徴とする請求項１に記載のスロープ玩具。
【請求項３】
前記移動体は、前記第１状態及び前記第２状態の各状態において当該移動体の上側に位置する面から前記動作部品の一部を突出させておく突出状態保持手段を備えることを特徴とする請求項１または請求項２に記載のスロープ玩具。
【請求項４】
前記突出状態保持手段は、前記動作部品の上下方向の中央に一端が軸支されたアームと、前記アームの他端を前記動作部品側に向けて付勢するスプリングとを備えることを特徴とする請求項３に記載のスロープ玩具。
【請求項５】
前記衝突部は、前記上の段のスロープの坂下部分の先方に配置された壁部であり、
前記動作部品は、前記移動体の姿勢切り換えの際に前記壁部と摺接しつつ衝突することによって動作することを特徴とする請求項１から請求項４のいずれか一項に記載のスロープ玩具。
【請求項６】
前記壁部は、前記下の段のスロープの坂上部分に連設されるとともに、壁面が当該スロープ側に向けて凹状に湾曲していることを特徴とする請求項５に記載のスロープ玩具。
【請求項７】
最下段の前記スロープの坂下部分には、前記移動体の左右の車輪の一方を他方に対して相対的に高くして当該移動体を横転させる路面が形成され、当該坂下部分の先方には、当該坂下部分から落下した前記移動体の姿勢を切り換えつつ前記動作部品を動作させる他の衝突部が設けられていることを特徴とする請求項１から請求項６のいずれか一項に記載のスロープ玩具。
【請求項８】
最下段の前記スロープの坂下部分の先方には、平面視で前記スロープと交差する方向に沿って前記移動体を下降させる他のスロープが設けられ、
前記他の衝突部は、前記他のスロープの坂上部分に連設されていることを特徴とする請求項７に記載のスロープ玩具。
【請求項９】
前記上の段のスロープの坂下部分の縁には、前記動作部品の突き当たりを防止するための切欠きが形成されていることを特徴とする請求項１から請求項８のいずれか一項に記載のスロープ玩具。
【考案の詳細な説明】
【技術分野】
【０００１】
本考案は、移動体に複数段のスロープ上を下降させるスロープ玩具に関する。
【背景技術】
【０００２】
従来、移動体に複数段のスロープ上を下降させるスロープ玩具が知られている（例えば、非特許文献１参照）。このスロープ玩具は主に幼児向けの知育玩具として使用されるが、従来のものは移動体が単純に上下を反転させながら複数段のスロープ上を順次下降していくだけのものであり、興趣に乏しかった。
【先行技術文献】
【非特許文献】
【０００３】
【非特許文献１】ＵＲＬ：http://store.ponparemall.com/nicoly/goods/t4329/
【考案の概要】
【考案が解決しようとする課題】
【０００４】
本考案の目的は、従来に比べて興趣に富んだ動作態様で移動体を下降させることができるスロープ玩具を提供することである。
【課題を解決するための手段】
【０００５】
上記目的を達成するために、請求項１に記載の考案は、スロープ玩具であって、
上の段の坂下部分の下方に下の段の坂上部分がはみ出して位置するように複数段に亘って配設されたスロープと、
所定の姿勢の第１状態及び当該第１状態から姿勢を反転させた第２状態の双方で、自重によって前記スロープ上を下降可能な移動体と、
前記上の段のスロープを下降してきた移動体の衝突によって前記第１状態と前記第２状態との間で姿勢を切り換えさせつつ当該移動体を前記下の段のスロープに引き渡す衝突部と、
を備え、
前記移動体には、当該移動体の上下方向に動作可能であって、前記第１状態及び前記第２状態の各状態において当該移動体の上側に位置する面から一部が突出可能な動作部品が設けられ、
前記動作部品は、前記移動体の姿勢切り換えの際に前記衝突部と衝突することによって動作することを特徴とする。
【０００６】
請求項２に記載の考案は、請求項１に記載のスロープ玩具において、
前記移動体は、本体と、前記動作部品と、複数の車輪とを備え、前記複数の車輪の各々が前記本体の上下から張り出すように構成されていることを特徴とする。
【０００７】
請求項３に記載の考案は、請求項１または請求項２に記載のスロープ玩具において、
前記移動体は、前記第１状態及び前記第２状態の各状態において当該移動体の上側に位置する面から前記動作部品の一部を突出させておく突出状態保持手段を備えることを特徴とする。
【０００８】
請求項４に記載の考案は、請求項３に記載のスロープ玩具において、
前記突出状態保持手段は、前記動作部品の上下方向の中央に一端が軸支されたアームと、前記アームの他端を前記動作部品側に向けて付勢するスプリングとを備えることを特徴とする。
【０００９】
請求項５に記載の考案は、請求項１から請求項４のいずれか一項に記載のスロープ玩具において、
前記衝突部は、前記上の段のスロープの坂下部分の先方に配置された壁部であり、
前記動作部品は、前記移動体の姿勢切り換えの際に前記壁部と摺接しつつ衝突することによって動作することを特徴とする。
【００１０】
請求項６に記載の考案は、請求項５に記載のスロープ玩具において、
前記壁部は、前記下の段のスロープの坂上部分に連設されるとともに、壁面が当該スロープ側に向けて凹状に湾曲していることを特徴とする。
【００１１】
請求項７に記載の考案は、請求項１から請求項６のいずれか一項に記載のスロープ玩具において、
最下段の前記スロープの坂下部分には、前記移動体の左右の車輪の一方を他方に対して相対的に高くして当該移動体を横転させる路面が形成され、当該坂下部分の先方には、当該坂下部分から落下した前記移動体の姿勢を切り換えつつ前記動作部品を動作させる他の衝突部が設けられていることを特徴とする。
【００１２】
請求項８に記載の考案は、請求項７に記載のスロープ玩具において、
最下段の前記スロープの坂下部分の先方には、平面視で前記スロープと交差する方向に沿って前記移動体を下降させる他のスロープが設けられ、
前記他の衝突部は、前記他のスロープの坂上部分に連設されていることを特徴とする。
【００１３】
請求項９に記載の考案は、請求項１から請求項８のいずれか一項に記載のスロープ玩具において、
前記上の段のスロープの坂下部分の縁には、前記動作部品の突き当たりを防止するための切欠きが形成されていることを特徴とする。
【考案の効果】
【００１４】
本考案によれば、上の段のスロープを坂下部分まで下降してきた移動体が、衝突部と衝突することにより、所定の姿勢の第１状態と当該第１状態から姿勢を反転させた第２状態との間で姿勢を切り換えつつ、下の段のスロープに引き渡される。また、この姿勢切り換えの際には、切り換え前の姿勢において移動体の上面から一部を突出させていた動作部品が、衝突部と衝突することによって当該移動体の上下方向に動作し、切り換え後の姿勢においても移動体の上面から一部を突出させる。
したがって、移動体が単純に上下を反転させながら複数段のスロープ上を順次下降していくだけであった従来に比べ、興趣に富んだ動作態様で移動体を下降させることができる。
【図面の簡単な説明】
【００１５】
【図１】スロープ玩具の外観構成図である。
【図２】玩具本体のうち最下段のスロープと射出スロープとの交差部分の周辺を示す斜視図である。
【図３】移動体の三面図であって、（ａ）が正面図、（ｂ）が平面図、（ｃ）が右側面図である。
【図４】（ａ）が図３（ａ）のＥ−Ｅ線での断面図であり、（ｂ）が図３（ｂ）のＦ−Ｆ線での断面図である。
【図５】スロープ玩具の動作を説明するための図である。
【図６】スロープ玩具の動作を説明するための図である。
【考案を実施するための形態】
【００１６】
以下、本考案に係るスロープ玩具の実施形態について、図面を参照して説明する。
【００１７】
［スロープ玩具の構成］
まず、本実施形態におけるスロープ玩具１の構成について説明する。
図１は、スロープ玩具１の外観構成図である。
この図に示すように、スロープ玩具１は、４段に亘って上下に配設されたスロープ２１（スロープ２１Ａ〜２１Ｄ）を有する玩具本体２と、この４段のスロープ２１上を下降する移動体３とを備えて構成されている。
【００１８】
＜玩具本体の構成＞
玩具本体２では、４段のスロープ２１が、ベース台２３上に立設された支持部材２４によって各々の延在方向中央の両側部を支持された状態で、上下に重ねて配列されている。最下段のスロープ２１Ｄの坂下部分の先方には、平面視で各スロープ２１の延在方向と直交する方向に沿って移動体３を下降させる射出スロープ２２が設けられており、これらスロープ２１Ｄと射出スロープ２２との交差部分が家屋状の射出ハウス２６で覆われている。射出スロープ２２の坂下部分の先端には、閉状態に付勢された開閉自在な観音開きの門扉２５が設けられている。
【００１９】
４段のスロープ２１は、玩具本体２の一端から他端に向かって前下がりに傾斜するものと、他端から一端に向かって前下がりに傾斜するものとが、上下に交互に配列されるとともに、上の段のスロープ２１の坂下部分の下方に下の段のスロープ２１の坂上部分がはみ出して位置するように配設されている。各スロープ２１の両側部には、当該スロープ２１上から側方への移動体３の逸脱を防止する側壁２１１が設けられている。
【００２０】
４段のスロープ２１のうち、最上段のスロープ２１Ａには、移動体３を当該スロープ２１Ａの坂上部分に停めておくための略棒状のスタートバー２７が設けられている。このスタートバー２７は、スロープ２１Ａ上を遮るように水平に倒れた状態と、一方の側壁２１１よりも外側で上下に起立した状態とを取り得るように、支持部材２４の坂上側の部分に回転可能に支持されるとともに、常態で水平に倒れた状態となるよう付勢されている。
【００２１】
４段のスロープ２１のうち、最上段のスロープ２１Ａを除く下側の３つには、上の段のスロープ２１を下降してきた移動体３を当該スロープ２１に引き取るための壁部２１２がそれぞれ設けられている。この壁部２１２は、上の段のスロープ２１の坂下部分との間に隙間を介在させつつ当該坂下部分の先方に配置されており、その壁面が当該スロープ２１側に向けて凹状に湾曲しつつ当該スロープ２１の坂上部分に滑らかに連設されている。
【００２２】
４段のスロープ２１のうち、最下段のスロープ２１Ｄを除く上側の３つには、後述する移動体３の動作部品３３の突き当たりを防止するための切欠き２１３が、当該スロープ２１の坂下部分の縁に形成されている。この切欠き２１３は、当該スロープ２１の幅方向の中央に、略半円状に形成されている。
【００２３】
図２は、玩具本体２のうち、最下段のスロープ２１Ｄと射出スロープ２２との交差部分の周辺を示す斜視図である。なお、この図２では、射出ハウス２６の図示を省略している。
この図に示すように、４段のスロープ２１のうちの最下段のスロープ２１Ｄには、移動体３を横転させるための凸状路面２１４が設けられている。この凸状路面２１４は、スロープ２１Ｄの坂下部分のうち、射出スロープ２２の延在方向先端側（図２の右側）の端部に設けられている。具体的に、凸状路面２１４は、スロープ２１Ｄの坂上側から坂下側に向かって滑らかに盛り上がりつつ、当該スロープ２１Ｄの幅方向内側の面が上側に向かうに連れて幅方向外側に位置するように傾斜しており、且つ、坂下側の上端が平坦に形成されている。
【００２４】
射出スロープ２２は、最下段のスロープ２１Ｄの坂下部分の先方であってその下方に当該射出スロープ２２の坂上部分が位置するように設けられている。
射出スロープ２２の坂上部分には、最下段のスロープ２１Ｄを下降してきた移動体３を当該射出スロープ２２に引き取るための射出壁部２２１が設けられている。この射出壁部２２１は、最下段のスロープ２１Ｄの坂下部分の先方であって、当該スロープ２１Ｄの幅方向のうち凸状路面２１４が設けられた側とは反対側（図２の左側）に配置されており、その壁面が射出スロープ２２側に向けて凹状に湾曲しつつ当該射出スロープ２２の坂上部分に滑らかに連設されている。
【００２５】
＜移動体の構成＞
図３は、移動体３の三面図であり、（ａ）が正面図、（ｂ）が平面図、（ｃ）が右側面図である。また、図４（ａ）は、図３（ａ）のＥ−Ｅ線での断面図であり、図４（ｂ）は、図３（ｂ）のＦ−Ｆ線での断面図である。
図３（ａ）〜（ｃ）に示すように、移動体３は、四輪自動車を模した走行体であり、車体３１と、４つの車輪３２とを備えている。
車体３１は、角の丸い扁平な略矩形板状に形成され、４つの車輪３２を回転可能に支持している。具体的には、４つの車輪３２が、２つの前輪３２ａと２つの後輪３２ｂとで、車幅方向に沿った車軸３２１にそれぞれ連結されており、車体３１は、これら２つの車軸３２１（前輪車軸３２１ａ及び後輪車軸３２１ｂ）を軸支している。また、車体３１は、上下方向及び車幅方向の各々について対称形に形成されるとともに、前後方向（車長方向）についても略対称形に形成されている。
４つの車輪３２は、車体３１よりも上下に同程度だけ張り出すように当該車体３１に取り付けられている。そのため、移動体３は、車体３１の一方の面を上に向けた状態と、この状態から上下を反転させた状態との双方で、同じように走行可能となっている。
【００２６】
また、車体３１は、図４（ａ），（ｂ）に示すように、上下に貫通する円形の貫通孔３１ａを平面視略中央部に有しており、この貫通孔３１ａ内に、上下に沿った球頭円筒状の動作部品３３を、上下方向に動作（摺動）可能に支持している。
動作部品３３は、外周面の上下方向中央部に４つの突起３３１を有しており（図３（ｂ）参照）、これら４つの突起３３１が、車体３１に形成された上下方向に沿った４つの係止溝３１ｂに個別に嵌合している。そして、各突起３３１が係止溝３１ｂによって上下方向にガイドされることにより、動作部品３３は、一端の半球部を車体３１の一方の面から突出させた状態と、他端の半球部を車体３１の他方の面から突出させた状態とを取り得るように、車体３１の貫通孔３１ａ内を上下に動作（摺動）するようになっている。また、本実施形態では、動作部品３３の上下両端の半球部に、前方を向いたドライバーの顔が描かれている（図５参照）。
【００２７】
車体３１内には、動作部品３３の両端いずれかの半球部を車体３１から突出させた状態に保持するためのアーム３４、押圧部材３５及びスプリング３６が収容されている。
アーム３４は、動作部品３３の上下方向の中央に一端（後端）が軸支されるとともに、他端（前端）には前輪車軸３２１ａが挿通された長穴３４ａを有している。アーム３４の他端に形成された長穴３４ａは、当該アーム３４の長手方向に沿って長尺に形成されており、前輪車軸３２１ａが当該長穴３４ａ内をその長手方向に沿って移動可能となっている。また、アーム３４の前端面３４ｂは、車幅方向に沿った中心軸を有する半円柱面（凸面）状に形成されている。
押圧部材３５は、車体３１内の前端部に設けられた後方向きに開口する凹部３１ｃ内に、前後方向に摺動可能に設けられている。この押圧部材３５の後端面３５ａは、アーム３４の前端面３４ｂに対応して車幅方向に沿った中心軸を有する半円柱面（凹面）状に形成されるとともに、当該前端面３４ｂと中心軸回りに摺動可能なように当接している。
スプリング３６は、車体３１の凹部３１ｃの底面と押圧部材３５との間に設けられ、押圧部材３５を後方に付勢している。つまり、スプリング３６は、押圧部材３５を介して、アーム３４の他端（前端）を動作部品３３側に向けて付勢している。
【００２８】
これらのアーム３４、押圧部材３５及びスプリング３６により、動作部品３３は、車体３１と上下方向の中央位置を一致させた状態（つまり、アーム３４が前後方向に沿った状態）から上下いずれかに少しでも移動すると、押圧部材３５により前端を後方向きに押圧されたアーム３４によって斜め後方向きに押圧されるため、当該移動した上下いずれかの側へ貫通孔３１ａ内を移動する。
そして、動作部品３３は、外周面の４つの突起３３１が車体３１の４つの係止溝３１ｂ内の端面と当接することにより上下方向の移動が規制されて、いずれか一方の端部の半球部を車体３１から突出させた状態が保持される。これにより、移動体３は、車体３１が表裏いずれの面を上に向けた状態においても、そのときの車体３１の上面から動作部品３３の半球部を突出させた状態が保持されるようになっている。
【００２９】
［動作］
続いて、移動体３を下降させて遊ぶ際のスロープ玩具１の動作について説明する。
図５及び図６は、スロープ玩具１の動作を説明するための図である。
【００３０】
まず、遊戯者は、最上段のスロープ２１Ａの坂上部分に移動体３を置き、移動体３がスタートバー２７によって下降を停められた状態にする。そして、遊戯者がスタートバー２７を起立させると、図５（ａ）に示すように、移動体３は、自重によって最上段のスロープ２１Ａを坂下に向かって下降（走行）していく。
【００３１】
最上段のスロープ２１Ａを坂下部分まで下降してきた移動体３は、図５（ｂ）に示すように、スロープ２１Ａの坂下部分から前のめりに落下する。すると、移動体３は、車体３１の前後を起立させた状態で２段目のスロープ２１Ｂの坂上部分に向かって落下しながら、動作部品３３上端の半球部を当該スロープ２１Ｂの壁部２１２と摺接させつつ衝突させる。
この衝突により、動作部品３３は、突出していた一方の半球部を引っ込めるようにして車体３１の貫通孔３１ａ内を摺動し、他方の半球部を車体３１の反対側の面から突出させる。そして、車体３１内のアーム３４，押圧部材３５及びスプリング３６により、この突出状態が保持される（図４（ａ）参照）。
このとき、車体３１が急峻に起立した状態で動作部品３３が最上段のスロープ２１Ａ側に突出してくるが、最上段のスロープ２１Ａの坂下部分には切欠き２１３が形成されているため、当該スロープ２１Ａと動作部品３３とは突き当たることがない。
【００３２】
そして、移動体３は、前輪３２ａ，後輪３２ｂの順に壁部２１２に接地し（但し、前輪３２ａは動作部品３３の衝突よりも前に接地していてもよい）、図５（ｃ）に示すように、最上段のスロープ２１Ａの下降時から上下を反転させた状態で２段目のスロープ２１Ｂ上に着地する。
このように、最上段のスロープ２１Ａを下降してきた移動体３は、２段目のスロープ２１Ｂの壁部２１２との衝突によって、上下を反転させるように姿勢を切り換えつつ動作部品３３を動作させながら、２段目のスロープ２１Ｂに引き渡される。
【００３３】
その後、移動体３は、図５（ｄ）に示すように、２段目のスロープ２１Ｂを下降していき、最上段のスロープ２１Ａからの落下時と同様にして、姿勢を切り換えつつ動作部品３３を動作させながら３段目のスロープ２１Ｃ及び最下段のスロープ２１Ｄを順次下降していく。
【００３４】
最下段のスロープ２１Ｄの坂下部分まで下降してきた移動体３は、図６（ａ）に示すように、当該坂下部分に形成された凸状路面２１４に左側の車輪３２が乗り上げる。そのため、移動体３は、図６（ｂ）に示すように、車体３１の左側が前方に位置するように大きく傾斜しつつ車体３１の前後を起立させた状態で、スロープ２１Ｄの坂下部分から前のめりに落下する。
【００３５】
スロープ２１Ｄの坂下部分から落下してきた移動体３は、動作部品３３上端の半球部を射出スロープ２２の射出壁部２２１と摺接させつつ衝突させる。
この衝突により、動作部品３３は、突出していた一方の半球部を引っ込めるようにして車体３１の貫通孔３１ａ内を摺動し、他方の半球部を車体３１の反対側の面から突出させる。
【００３６】
そして、移動体３は、スロープ２１Ｄの先方に位置するベース台２３部分（図２参照）に横向きに衝突しながら前輪３２ａ，後輪３２ｂの順に壁部２１２に接地し（但し、前輪３２ａは動作部品３３の衝突よりも前に接地していてもよい）、図６（ｃ）に示すように、最下段のスロープ２１Ｄの下降時から上下を反転させつつ、射出スロープ２２の向きに倣って方向変換させた状態で射出スロープ２２上に着地する。
その後、射出スロープ２２を下降してきた移動体３は、図６（ｄ）に示すように、門扉２５と衝突して当該門扉２５を開き、玩具本体２から飛び出していく。
【００３７】
［効果］
以上のように、本実施形態のスロープ玩具１によれば、上の段のスロープ２１を坂下部分まで下降してきた移動体３が、壁部２１２と衝突することにより、上下を反転させるように姿勢を切り換えつつ、下の段のスロープ２１に引き渡される。また、この姿勢切り換えの際には、切り換え前の姿勢において移動体３（車体３１）の上面から一部を突出させていた動作部品３３が、壁部２１２と衝突することによって当該移動体３の上下方向に動作し、切り換え後の姿勢においても移動体３の上面から一部を突出させる。
したがって、移動体が単純に上下を反転させながら複数段のスロープ上を順次下降していくだけであった従来に比べ、興趣に富んだ動作態様で移動体３を下降させることができる。
【００３８】
また、上の段のスロープ２１の坂下部分の縁には、動作部品３３の突き当たりを防止するための切欠き２１３が形成されているので、動作部品３３の動作時におけるスロープ２１への突き当たりを防止することができる。
【００３９】
また、最下段のスロープ２１Ｄの坂下部分に形成された凸状路面２１４によって移動体３が横転させられ、当該坂下部分の先方に設けられた射出壁部２２１によって、横転した状態で落下してきた移動体３の姿勢が切り換えられつつ動作部品３３が動作する。
したがって、移動体３の姿勢を切り換えつつ動作部品３３を動作させながら、移動体３の平面視での走行方向をスロープ２１Ｄに沿ったものから変更することができる。
【００４０】
［変形例］
なお、本考案は上記実施形態に限定して解釈されるべきではなく、適宜変更・改良が可能であることは勿論である。
【００４１】
例えば、上記実施形態では、移動体３が各スロープ２１の坂上部分に連設された壁部２１２と衝突して姿勢を切り換えることとしたが、移動体３と衝突する衝突部は、上の段のスロープ２１を下降してきた移動体３の衝突によって姿勢を切り換えさせつつ当該移動体３を下の段のスロープ２１に引き渡すものであれば、このような壁部２１２に限定されない。当該衝突部は、例えば、各スロープ２１から独立して設けられたものであってもよいし、下の段のスロープ２１の坂上部分（つまり、移動体３が上の段のスロープ２１の坂下部分から落下し、下の段のスロープ２１の坂上部分と衝突して姿勢を切り換える構成）であってもよい。
同様に、射出壁部２２１も射出スロープ２２から独立して設けられていてもよい。
【００４２】
また、最下段のスロープ２１Ｄの坂下部分には、移動体３を横転させるための凸状路面２１４が形成されていることとしたが、当該坂下部分には、移動体３の左右の車輪の一方を他方に対して相対的に高くして当該移動体３を横転させる路面が形成されていればよい。
【００４３】
また、射出スロープ２２は、平面視でスロープ２１と交差する方向に沿って移動体３を下降させる向きのものであればよい。
また、スロープ２１の段数は４段に限定されず、複数段であればよい。
【符号の説明】
【００４４】
１            スロープ玩具
２            玩具本体
２１（２１Ａ〜２１Ｂ）  スロープ
２１２    壁部（衝突部）
２１３    切欠き
２１４    凸状路面（路面）
２２        射出スロープ（他のスロープ）
２２１    射出壁部（他の衝突部）
３            移動体
３１        車体（本体）
３２        車輪
３２１    車軸
３３        動作部品
３４        アーム
３５        押圧部材
３６        スプリング
【図１】
0003203069.tif 000003
【図２】
0003203069.tif 000004
【図３】
0003203069.tif 000005
【図４】
0003203069.tif 000006
【図５】
0003203069.tif 000007
【図６】
0003203069.tif 000008